(57)【要約】【課題】セット専用のリモコンを含めた外部リモコンを必要とせず、汎用的なレーザポインタなどにて操作可能であるとともに、コストアップを避けることの可能なパネル型映像表示装置およびパネル型テレビジョンの提供を目的とする。【解決手段】前面ガラスフィルタ５５の表面に対して略垂直に照射されるレーザ光を同表面に対して略平行に反射する反射構造５５ａまたは５５ｂと、前面ガラスフィルタ５５の側面に配置されて上記反射構造からの反射光を受光可能な光センサ５０と、を備え、光センサ５０が上記反射光を受光すると表示パネル２０に光センサ５０を構成する受光素子５１の位置に対応させた所定の操作項目を画面を表示させ、上記反射光の受光が中断されると、中断直前にレーザ光の指し示していた操作項目を選択する操作入力を受け付けるとともに、選択された上記操作項目に対応する設定処理を実行させる。【選択図】図４
2007226709.tif 000002
【特許請求の範囲】
【請求項１】
映像を画面に表示する平坦な表示面を前面に向けた表示パネルと、
テレビ放送を受信し中間周波信号としての映像信号を出力するチューナと、
入力された映像信号をデジタル信号に変換して出力するＡ／Ｄ変換部と、
インタ−レ−ス形式の映像信号をプログレッシブ形式に変換し、映像信号のスケーリング処理を行うとともに上記表示パネルに表示する１画面分の画像データを生成して出力するスケーラＩＣと、
文字情報等のデ−タを入力され、同文字情報等のデ−タに基づいてオンスクリーンディスプレイ信号を生成してスケーラＩＣに出力して上記映像信号に重畳させるＯＳＤ生成部と、
上記ＯＳＤ生成部に文字情報等のデータを出力すると共に、上記表示パネルと上記チューナと上記Ａ／Ｄ変換部と上記スケーラＩＣと上記ＯＳＤ生成部とを制御するマイコンと
を備えるパネル型テレビジョンにおいて、
上記表示パネルの前面に近接して配置され、上記表示パネルの表示面に表示される映像の光を前方に透過可能であるとともに、前方から入射されるレーザ光を側方に反射する反射構造を備える前面ガラスフィルタと、
上記前面ガラスフィルタ内を同前面ガラスフィルタの面と略平行に透過する光を受光して受光量に応じた出力を行う複数の受光素子と、同受光素子の出力に基づいて上記受光素子のいずれか１つ以上の受光素子が受光しているか否かを表す受光情報および側面に沿って並べられた受光素子のうち出力の最も高い受光素子の位置情報を出力可能な受光情報出力部と、から構成され、上記前面ガラスフィルタのレーザ光が反射されてくる側面に略接触して配置される光センサと
を備え、
上記反射構造は、上記表示パネルの表示面に面する側に形成されるとともに、上記前面ガラスフィルタの上下左右いずれか一方の側方に近づくほど上記表示パネルに近づく階段の各段の間に斜面として形成され、上記前面ガラスフィルタに対して略垂直に入射されるレーザ光を上記前面ガラスフィルタに対して略平行に反射し、
上記マイコンは、上記光センサより受光情報を受け付けると上記表示パネルの上記反射構造の形成される領域に上記受光素子の位置に対応させた所定の操作項目より構成されるメニューを画面を表示させ、上記光センサからの受光情報の出力が中断されると、中断の直前の位置情報を受け付けると共に、同位置情報に対応する操作項目を選択する操作入力を受け付け、同操作項目に対応する設定処理を実行する
ことを特徴とするパネル型テレビジョン。
【請求項２】
映像表示面が光を透過可能なフィルタにて覆われた表示パネルを備え、
所定の映像信号が入力されて同映像信号に対応する映像を上記表示パネルに表示するパネル型映像表示装置において、
上記フィルタに形成され、同フィルタの表面に対して略垂直に照射されるレーザ光を同表面に対して略平行に反射する反射構造と
上記フィルタの側面に配置されて上記反射構造からの反射光を受光可能な光センサと、
上記光センサが上記反射光を受光すると上記表示パネルに上記光センサの位置に対応させた所定の操作項目を画面に表示させるメニュー表示手段と、
上記反射光の受光が中断されると、中断直前にレーザ光の指し示していた操作項目を選択する操作入力を受け付けるとともに、選択された上記操作項目に対応する設定処理を実行する操作項目受付手段と
を備えることを特徴とするパネル型映像表示装置。
【請求項３】
上記反射構造は、
上記フィルタの上記表示パネルと面する側に形成されるとともに、上記フィルタのいずれか一方の側方に近づくほど上記表示パネルに近づく階段の各段の間に斜面として形成され、上記フィルタに対して略垂直に入射される光を上記フィルタに対して略平行に反射する
ことを特徴とする上記請求項２に記載のパネル型映像表示装置。
【請求項４】
上記斜面は、
上記フィルタの面に対して４５度の角度を持って形成される
ことを特徴とする上記請求項３に記載のパネル型映像表示装置。
【請求項５】
上記斜面は、
上記フィルタの面に対して４０度の角度を持って形成される
ことを特徴とする上記請求項３に記載のパネル型映像表示装置。
【請求項６】
上記斜面は、
上記フィルタの面に対して５０度の角度を持って形成される
ことを特徴とする上記請求項３に記載のパネル型映像表示装置。
【請求項７】
上記反射構造は、
上記レーザ光の照射断面内に位置する複数の斜面が、上記フィルタの面に対して複数の角度にて形成された斜面にて構成される
ことを特徴とする上記請求項３に記載のパネル型映像表示装置。
【請求項８】
上記反射構造は、
上記フィルタの表示パネルに面する側に凹みとして形成され、上記レーザ光を散乱可能である
ことを特徴とする上記請求項２に記載のパネル型映像表示装置。
【請求項９】
上記光センサは、
上記フィルタのいずれか一方の側面に沿って配置される
ことを特徴とする上記請求項２〜８のいずれかに記載のパネル型映像表示装置。
【請求項１０】
上記光センサは、
上記フィルタの表面において、上記レーザ光の入射される位置を二次元にて特定可能に配置される
ことを特徴とする上記請求項２または請求項８に記載のパネル型映像表示装置。
【請求項１１】
上記反射構造は、
上記表示パネルの非発光部分に合わせて形成される
ことを特徴とする上記請求項２〜１０のいずれかに記載のパネル型映像表示装置。
【請求項１２】
上記光センサは、
上記フィルタの表面に略平行、かつ、上記フィルタの側面に略垂直な方向より入射される光に指向性を有する
ことを特徴とする上記請求項２〜１１のいずれかに記載のパネル型映像表示装置。
【発明の詳細な説明】
【技術分野】
【０００１】
本発明は、本発明は画面に操作項目を表示して操作を行うメニューを備えるパネル型テレビジョンおよびパネル型映像表示装置に関する。
【背景技術】
【０００２】
ＴＶの操作を行うためには、そのセットに専用のリモコンを使う必要がある。そのため、そのリモコンが紛失もしくは壊れた場合、再度同じものを注文するか、マルチリモコン等を購入する必要がある。また、リモコンには各機能に相当する複数のキーを準備しておく必要があり、それぞれに対応したリモコンコードも必要であった。
このような背景に鑑みて、特許文献１および２には、画像表示装置に二次元位置センサを設け、リモートで投射したレーザ光などの電磁波ビームの位置をセンサで識別すると共に、画面にポインタカーソルを表示して、画面上のメニュー選択を行える位置センサ付映像装置について開示されている。
また、特許文献３には、液晶テレビなどの表示部にレーザポインタでレーザ光を投射すると、各画素毎に光センサ部で位置検出され、この出力で特定表示に従う処理をするようにした構成について開示されている。
さらに、特許文献４には、リモコンに設けた傾きセンサの検出を利用して、画面カーソルを移動させることが出来るようにしたリモコン装置が開示されている。
しかしながら、上述した特許文献１〜３に記載されているレーザ光照射位置検出では、表示パネルの画素毎に受光素子を備えさせることが必要となり、コストアップが避けられなかった。
【特許文献１】特開平６−１０２８４１号
【特許文献２】特開平６−１０２９９４号
【特許文献３】特開２００１−１７５４１３号
【特許文献４】特開２００１−２２４０８４号
【発明の開示】
【発明が解決しようとする課題】
【０００３】
上述したように、リモコン操作可能な従来のパネル型映像表示装置およびパネル型テレビジョンにおいては、各機能に相当する複数のキーを準備しておく必要があり、それぞれに対応したリモコンコードも必要であった。また、リモコンが紛失もしくは壊れた場合、再度同じものを注文するか、マルチリモコン等を購入する必要があった、さらに、上述した特許文献１〜３に記載されているレーザ光照射位置検出では、表示パネルの各画素毎に受光素子を備えさせることが必要となり、新たな製造ラインや部品などが必要となるためコストアップが避けられなかった。
【０００４】
本発明は上記課題に鑑み、セット専用のリモコンを含めた外部リモコンを必要とせず、汎用的なレーザポインタなどにて操作可能であるとともに、コストアップを避けることの可能なパネル型映像表示装置およびパネル型テレビジョンの提供を目的とする。
【課題を解決するための手段】
【０００５】
上記課題を解決するために、本発明の請求項１にかかる発明では、映像を画面に表示する平坦な表示面を前面に向けた表示パネルと、テレビ放送を受信し中間周波信号としての映像信号を出力するチューナと、入力された映像信号をデジタル信号に変換して出力するＡ／Ｄ変換部と、インタ−レ−ス形式の映像信号をプログレッシブ形式に変換し、映像信号のスケーリング処理を行うとともに上記表示パネルに表示する１画面分の画像データを生成して出力するスケーラＩＣと、文字情報等のデ−タを入力され、同文字情報等のデ−タに基づいてオンスクリーンディスプレイ信号を生成してスケーラＩＣに出力して上記映像信号に重畳させるＯＳＤ生成部と、上記ＯＳＤ生成部に文字情報等のデータを出力すると共に、上記表示パネルと上記チューナと上記Ａ／Ｄ変換部と上記スケーラＩＣと上記ＯＳＤ生成部とを制御するマイコンとを備えるパネル型テレビジョンにおいて、上記表示パネルの前面に近接して配置され、上記表示パネルの表示面に表示される映像の光を前方に透過可能であるとともに、前方から入射されるレーザ光を側方に反射する反射構造を備える前面ガラスフィルタと、上記前面ガラスフィルタ内を同前面ガラスフィルタの面と略平行に透過する光を受光して受光量に応じた出力を行う複数の受光素子と、同受光素子の出力に基づいて上記受光素子のいずれか１つ以上の受光素子が受光しているか否かを表す受光情報および側面に沿って並べられた受光素子のうち出力の最も高い受光素子の位置情報を出力可能な受光情報出力部と、から構成され、上記前面ガラスフィルタのレーザ光が反射されてくる側面に略接触して配置される光センサとを備え、上記反射構造は、上記表示パネルの表示面に面する側に形成されるとともに、上記前面ガラスフィルタの上下左右いずれか一方の側方に近づくほど上記表示パネルに近づく階段の各段の間に斜面として形成され、上記前面ガラスフィルタに対して略垂直に入射されるレーザ光を上記前面ガラスフィルタに対して略平行に反射し、上記マイコンは、上記光センサより受光情報を受け付けると上記表示パネルの上記反射構造の形成される領域に上記受光素子の位置に対応させた所定の操作項目より構成されるメニューを画面を表示させ、上記光センサからの受光情報の出力が中断されると、中断の直前の位置情報を受け付けると共に、同位置情報に対応する操作項目を選択する操作入力を受け付け、同操作項目に対応する設定処理を実行する構成としてある。
上記のように構成した請求項１にかかる発明においては、上記前面ガラスフィルタの上記反射構造が形成された領域に対して略垂直に入射されたレーザ光は、上記反射構造にて上記光センサの配置された側面の方向に反射され、上記光センサを構成する受光素子が反射されたレーザ光を受光して受光量に応じた出力を行い、上記受光情報出力部が受光情報および位置情報を出力し、上記マイコンが上記受光情報および上記位置情報を受け付ける。
【０００６】
また、上記目的を達成するために、請求項２に記載のパネル型映像表示装置では、映像表示面が光を透過可能なフィルタにて覆われた表示パネルを備え、所定の映像信号が入力されて同映像信号に対応する映像を上記表示パネルに表示するパネル型映像表示装置において、上記フィルタに形成され、同フィルタの表面に対して略垂直に照射されるレーザ光を同表面に対して略平行に反射する反射構造と上記フィルタの側面に配置されて上記反射構造からの反射光を受光可能な光センサと、上記光センサが上記反射光を受光すると上記表示パネルに上記光センサの位置に対応させた所定の操作項目を画面を表示させるメニュー表示手段と、上記反射光の受光が中断されると、中断直前にレーザ光の指し示していた操作項目を選択する操作入力を受け付けるとともに、選択された上記操作項目に対応する設定処理を実行する操作項目受付手段とを備える構成としてある。
上記のように構成した請求項２にかかる発明において、上記反射構造が上記フィルタの表面に対して略垂直に照射されるレーザ光を同表面に対して略平行に反射し、同反射構造からの反射光を上記光センサが受光し、上記光センサが上記反射光を受光すると上記メニュー表示手段が上記表示パネルに上記光センサの位置に対応させた所定の操作項目を画面に表示させ、上記反射光の受光が中断されると、上記操作項目受付手段が中断直前にレーザ光の指し示していた操作項目を選択する操作入力を受け付け、選択された上記操作項目に対応する設定処理を実行する。
【０００７】
そして、請求項３にかかる発明では、上記請求項２に記載のパネル型映像表示装置において、上記反射構造は、上記フィルタの上記表示パネルと面する側に形成されるとともに、上記フィルタのいずれか一方の側方に近づくほど上記表示パネルに近づく階段の各段の間に斜面として形成され、上記フィルタに対して略垂直に入射される光を上記フィルタに対して略平行に反射する構成としてある。
【０００８】
さらに、請求項４にかかる発明では、上記請求項３に記載のパネル型映像表示装置において、上記斜面は、上記フィルタの面に対して４５度の角度を持って形成される構成としてある。
さらに、請求項５にかかる発明は、上記請求項３に記載のパネル型映像表示装置において、上記斜面は、上記フィルタの面に対して４０度の角度を持って形成される構成としてある。
さらに、請求項６にかかる発明は、上記請求項３に記載のパネル型映像表示装置において、上記斜面は、上記フィルタの面に対して５０度の角度を持って形成される構成としてある。
さらに、請求項７にかかる発明は、上記請求項３に記載のパネル型映像表示装置において、上記反射構造は、上記レーザ光の照射断面内に位置する複数の斜面が、上記フィルタの面に対して複数の角度にて形成された斜面にて構成される構成としてある。
【０００９】
さらに、請求項８にかかる発明は、上記請求項２に記載のパネル型映像表示装置において、上記反射構造は、上記フィルタの表示パネルに面する側に凹みとして形成され、上記レーザ光を散乱可能である構成としてある。
さらに、請求項９にかかる発明は、上記請求項２〜８のいずれかに記載のパネル型映像表示装置において、上記光センサは、上記フィルタのいずれか一方の側面に沿って配置される構成としてある。
さらに、請求項１０にかかる発明は、上記請求項２または請求項８に記載のパネル型映像表示装置において、上記光センサは、上記フィルタの表面において、上記レーザ光の入射される位置を二次元にて特定可能に配置される構成としてある。
さらに、請求項１１にかかる発明は、上記請求項２〜１０のいずれかに記載のパネル型映像表示装置において、上記反射構造は、上記表示パネルの非発光部分に合わせて形成される構成としてある。
さらに、請求項１２にかかる発明は、上記請求項２〜１１のいずれかに記載のパネル型映像表示装置において、上記光センサは、上記フィルタの表面に略平行、かつ、上記フィルタの側面に略垂直な方向より入射される光に指向性を有する構成としてある。
【発明の効果】
【００１０】
以上説明したように本発明によれば、市販のレーザポインタなどのレーザ照射装置を使用してメニュー操作することが可能なため、セット専用のリモコンを含めた外部リモコンを必要とせず、汎用的なレーザポインタなどにて操作可能であるとともに、コストアップを避けることの可能なパネル型映像表示装置を提供することができる。
また請求項３〜６にかかる発明によれば、フィルタに段を形成し、各段の間に形成される斜面にて光を反射可能な反射構造にて光を反射させるため簡易な構造で反射構造を実現することが可能なパネル型映像表示装置を提供することができる。
そして請求項７にかかる発明によれば、フィルタに段を形成し、格段の間に形成される斜面にて光を反射可能な反射構造にて光を反射させるとともに、斜面の角度を複数とすることにより正面で視聴しているユーザだけでなく、斜め方向から視聴しているユーザもメニュー操作が可能なパネル型映像表示装置を提供可能となる。
さらに請求項８にかかる発明によれば、フィルタに形成される凹みにて光を反射させるため、簡易な構造で反射構造を実現することが可能なパネル型映像表示装置を提供することが可能となる。
また請求項９にかかる発明によれば、一方の側面にのみ光センサを配置すればよいため、コストダウンが可能となり、さらに安価なパネル型映像表示装置を提供可能となる
そして請求項１０にかかる発明によれば、表示パネルの全面でレーザ照射位置を特定可能となるため、表示パネルの全面にメニュー画面を表示でき、多くの操作項目を同時に表示して選択可能とするパネル型映像表示装置を提供することが可能となる。
さらに請求項１１にかかる発明によれば、反射構造は表示パネルの非発光部分に合わせて形成されるため、表示パネルに表示される映像の光がフィルタを通過する際にゆがむ事無く、ユーザの快適な視聴を妨げることが無いパネル型映像表示装置を提供することが可能となる。
また請求項１２にかかる発明によれば、光センサに指向性を持たせることにより、レーザ照射位置の特定をより正確に行うことの可能なパネル型映像表示装置を提供することが可能となる。
さらに請求項１のような、より具体的な構成において、請求項１０にかかる構成を除いた、上述した請求項２〜請求項９および請求項１１〜請求項１２の各発明と同様の作用を奏することはいうまでもない。
【発明を実施するための最良の形態】
【００１１】
以下、下記の順序に従って本発明の実施形態を説明する。
（１）パネル型テレビジョンの概略構成：
（２）反射構造の第一の実施形態：
（３）反射構造の第二の実施形態：
（４）ＯＳＤ表示にかかるマイコンの処理：
（５）まとめ：
【００１２】
（１）パネル型テレビジョンの概略構成： 
図１に本発明にかかるパネル型テレビジョンおよびパネル型映像表示装置としての液晶テレビジョン１００の概略構造を斜視図によって示している。
同図に示すように、液晶テレビジョン１００は、フロントキャビネット３５とリアキャビネット３０とが形成する樹脂製のテレビジョンキャビネットの内部に、前方から後方に向けてガラスフィルタ５５、液晶パネル２０、基板４０の順にこれらを収容することにより構成される。フロントキャビネット３５は、略中央に開口１６を形成したフロント面と、同フロント面の上下左右の各辺から略後方に延出する側面とによって構成される。
【００１３】
液晶パネル２０は、映像を画面に表示する平坦な表示面を前面に向けており、概略、パネル部とバックライト部とからなる。パネル部は、偏光板、ガラス基板、液晶、導光板、反射板等の部材を層状に重ねて構成したものであり、バックライト部は、導光板の上下各側縁付近に配設された蛍光管によって構成される。パネル部は、基板４０に実装されたマイコンと接続し、バックライト部は、同じく基板４０に実装されたインバータ回路と接続している。
【００１４】
本実施例においては表示パネルとして液晶パネルを採用したが、表示パネルとしてはフラットタイプの表示パネルであればいかなる物でもよく、むろんプラズマディスプレイパネル（ＰＤＰ）であっても構わない。
【００１５】
フロントキャビネット３５は、液晶パネル２０を前方から覆うとともに、開口１６によって液晶パネル２０の画像表示面を外部に露出させる。リアキャビネット３０は、フロントキャビネット３５の後端と接続して、液晶パネル２０および基板４０を後方から覆う。
【００１６】
前面ガラスフィルタ５５は、フロントキャビネット３５と液晶パネル２０との間に配置され、液晶パネル２０の表示面に表示される映像の光を前方にそのまま透過する透明なガラス板にて形成される。一方、前方から入射される光は、後述する反射構造にて側方に反射されるが、反射構造の形成されない部分に入射された光はそのまま後方に位置する液晶パネル２０まで透過する。反射構造は、後述するように、液晶パネル２０の表示セルと表示セルの間に形成される非発光部分に形成される為、液晶パネル２０の映像表示を妨げることは無い。
図２に、本実施例にかかるパネル型テレビジョン１００の概略構成をブロック図にて示してある。同図において、パネル型テレビジョン１００は、概略、チューナ１０と、外部入力１２と、スイッチ回路１４と、Ａ／Ｄ変換部（アナログデジタル変換部）１６と、スケーラＩＣ１８と、表示パネル２０と、ＯＳＤ生成部２４と、マイコン２２と、光センサ５０と、前面ガラスフィルタ５５とから構成される。
【００１７】
チューナ１０は、マイコン２２の制御によりアンテナ１０ａよりテレビ放送を受信し、所定の信号増幅処理等を行いつつ、テレビジョン放送信号から中間周波信号としての映像信号を抽出し、スイッチ回路１４へ出力する。
【００１８】
スイッチ回路１４は、マイコン２２とチューナ１０と外部入力１２が接続され、マイコン２２から入力される選択指示に従って、チューナ１０からの中間周波信号と外部入力からの映像信号とを選択的に出力し、中間周波信号としてＡ／Ｄ変換部に出力する。ここで、外部入力１２とは、コンポジット映像信号入力端子などの映像信号入力端子である。
Ａ／Ｄ変換部１６は、入力された映像信号をデジタル信号に変換しスケーラＩＣ１８に出力する。
【００１９】
スケーラＩＣ１８は、入力されたデジタル映像信号から、Ｒ、Ｇ、Ｂの３原色信号を復調するとともに、映像信号と音声信号との分離を行い、分離された音声信号を図示しない音声信号処理部に出力し、図示しないスピーカに出力させる。さらに、スケーラＩＣ１８は、連続するインタ−レ−ス形式の映像信号をプログレッシブ形式の映像信号に変換し、入力されたデジタルの映像信号を、表示パネル２０が有する画面の画素数（横縦比、ｍ：ｎ）に合致するようにスケーリング処理を行い、表示パネル２０に表示する１画面分の画像データを生成する。そして、生成された画像データを表示パネル２０に出力することにより、表示パネル２０の画面に画像データに基づく映像表示をさせる。
【００２０】
表示パネル３５は、内部に液晶パネルとバックライトと制御回路とを有する。制御回路は画面表示の制御駆動処理を行う電子回路であり、スケーラＩＣ１８より出力される画像データから色別にＲ用液晶パネル、Ｇ用液晶パネル、Ｂ用液晶パネルを駆動する電圧を生成する。バックライトは、図示しないインバータ回路から高電圧が供給されて点灯し、生じた光が背面から正面方向へ各色の液晶パネルを透過するようになっている。これにより、表示パネル２０は、画面から画像データに対応する映像、すなわち、映像信号に対応する映像を表示する。
【００２１】
ＯＳＤ生成部２４は、文字情報等のデ−タをマイコン２２から入力され、同文字情報等のデ−タに基づいて静止画像であるオンスクリーンディスプレイ信号（ＯＳＤ信号）を生成するとともに、同ＯＳＤ信号をスケーラＩＣ１８に出力する。スケーラＩＣ１８は、同ＯＳＤ信号を映像信号に重畳させることにより、映像に所定の静止画像を重ねて表示したり、所定の静止画像を差し替えて表示したりする等の処理を行う。
【００２２】
マイコン２２は、液晶テレビジョン１００を構成する各部と電気的に接続しており、マイコン２２内部の構成部品としてのＣＰＵが、同じくマイコン２２内の構成部品であるＲＯＭやＲＡＭなどに書き込まれた各プログラムに従って、液晶テレビジョン１００全体を制御する。なお、ＣＰＵやＲＯＭやＲＡＭについては図示を省略している。
【００２３】
基板４０にはこれらのうちチューナと、外部入力と、スイッチ回路と、Ａ／Ｄ変換部１６とスケーラＩＣとＯＳＤ生成部と、マイコンとが搭載され、アンテナを通して受信したテレビ放送を信号処理し、映像を表示パネル２０に表示させるとともに、音声を上記スピーカに出力する。
【００２４】
光センサ５０は、複数の受光素子５１と、いずれの受光素子５１が受光したかを表す情報および受光量に略比例した出力が可能な受光情報出力部５２とから構成され、前面ガラスフィルタ５５の側方に略接触して複数配置され、同前面ガラスフィルタ５５内を同前面ガラスフィルタ５５の面と略平行に透過する光を受光可能となっている。
【００２５】
受光素子５１としては、受光した光量に応じた出力を行うものであればよく、出力するものとしては電流であっても電圧であっても構わない。具体的には、フォトダイオードやフォトトランジスタ、ＣｄＳセルなどが考えられる。
【００２６】
受光情報出力部５２は、受光素子５１のいずれか１つ以上の受光素子が受光しているか否かを表す受光情報と、一方の側面に沿って並べられた受光素子５１のうち出力の最も高い受光素子の位置情報とを出力可能となっている。
【００２７】
（２）反射構造の第一の実施形態： 
図３、図４を参照して、本願における反射構造の第一の実施形態について説明する。図３には前面ガラスフィルタ５５の斜視図、図４は前面ガラスフィルタ５５と表示パネル３５の断面図をそれぞれ示してある。
【００２８】
前面ガラスフィルタ５５には、反射構造５５ａが形成され、表示パネル３５の表示面に対して略垂直に照射されるレーザ光を同表示面に対して略平行に反射する。すなわち、反射構造５５ａは、表示パネル３５の表示面に面する側に形成されるとともに、前面ガラスフィルタ５５の上下左右いずれか一方の側方に近づくほど表示パネル３５に近づく階段の各段の間に斜面として形成され、前面ガラスフィルタ５５に対して略垂直にレーザポインタ６０より入射される光を前面ガラスフィルタ５５に対して略平行に反射する。
【００２９】
斜面として形成される反射構造５５ａは、前面ガラスフィルタ５５に対して略垂直にレーザポインタ６０より入射される光を略直角に反射することにより前面ガラスフィルタ５５に対して略平行に反射するために、４０〜５０度の角度を持って形成される。むろん、前面ガラスフィルタ５５と、同前面ガラスフィルタ５５に対して入射されるレーザ光の成す角が４０〜５０度の間で様々な角度となる可能性を考慮して、複数の斜面が４０〜５０度の様々な角度を持つように構成しても構わない。すなわち、レーザ光が前面ガラスフィルタ５５に照射されたときに形成する照射断面内に、４０度、４５度、５０度の角度を持つ斜面が必ず含まれるように配置する。むろん上記斜面の角度としては４０〜５０度以外にも０〜９０度（０度と９０度は含まない）の任意の角度を採用可能である。また、照射断面内に配置する角度の種類も３種類以上であっても構わない。
【００３０】
また図４のように、斜面５５ａは、液晶パネル２０の各表示セルの間に形成される非発光部分の位置に合わせて形成される。具体的には、表示パネル３５が液晶パネルであれば、各画素に対応する赤（Ｒ）、緑（Ｇ）、青（Ｂ）の着色層の隙間から入射光が漏れないようにカラーフィルタに設けられて、この光が漏れないように遮蔽するブラックマトリクス（ＢＭ）が上記非発光部分に相当し、表示パネル３５がＰＤＰであれば、放電セルの間に形成される隔壁が上記非発光部分に相当する。斜面５５ａを、液晶パネル２０の非発光部分に合わせて形成することにより、液晶パネル２０に表示される映像が遮られることが無い。
【００３１】
光センサ５０は、前面ガラスフィルタ５５の側方に配置されて斜面５５ａとして形成される反射構造からの反射光を受光可能となっている。すなわち、図３のように、光センサ５０は複数の受光素子を備え、同受光素子は前面ガラスフィルタ５５の側面に沿って等間隔で並べて配置されるとともに斜面５５ａで反射されるレーザ光の反射光を受光可能となっている。また本第一の概略構成においては、光センサ５０は前面ガラスフィルタ５５のいずれか一方の側方に沿って配置されるものとする。
【００３２】
また、各受光素子は特定の方向より入射される光を検出しやすい指向性を有する構成としても構わない。すなわち、受光素子５１は、受光素子５１の配置された前面ガラスフィルタ５５の側面に対し、略垂直に進行してくる光に対して高い指向性を有してもよい。また、受光素子５１そのものは指向性を有さずとも、受光素子５１の間に光を通さない遮光壁を設けても特定方向より入射される光に対する指向性を実現可能である。
【００３３】
（３）反射構造の第二の実施形態： 
次に、図５、図６を参照して、本願の反射構造の第二の実施形態について説明する。図５は前面ガラスフィルタ５５と表示パネル３５の断面図、図６は反射構造および受光素子５１の平面図である。
【００３４】
前面ガラスフィルタ５５には、反射構造５５ｂが形成され、表示パネル３５の表示面に対して略垂直に照射されるレーザ光を同表示面に対して略平行に反射する。つまり、反射構造５５ｂは、表示パネル３５の表示面に面する側に複数の凹みとして形成され、前面ガラスフィルタ５５に対して略垂直にレーザポインタ６０より入射される光を凹みの周囲に反射する。そして、凹みで同表示面に対して略平行に反射された反射光は、その進行方向にある別の凹みでさらに反射されるため、前面ガラスフィルタ５５の表面に対して略平行に反射されたレーザ光は反射構造５５ｂを構成する複数の凹みにより散乱される。すなわち、反射構造５５ｂは、レーザ光を散乱可能である。
【００３５】
また、図５のように、複数の凹みにより形成される反射構造５５ｂは、液晶パネル２０の各表示セルの間に形成される非発光部分の位置に合わせて形成される。具体的な形成位置に付いては、反射構造５５ａと同様に表パネルの非発光部分に合わせて形成される。複数の凹み５５ｂを、液晶パネル２０の非発光部分に合わせて形成することにより、液晶パネル２０に表示される映像が遮られたりゆがんで表示されたりすることが無い。
【００３６】
図６のように、光センサ５０は、本第二の概略構成においては、光センサ５０は前面ガラスフィルタ５５の上下いずれか一方の側面と、左右いずれか一方の側面と、に沿って配置されるものとする。受光素子の指向性については上記第一の概略構成と同様である。
【００３７】
さらに、図６に、反射されたレーザ光がどのような経路をたどって受光素子に受光されるかを示してある。照射位置に照射されたレーザ光は、様々な経路を辿って受光素子５１ａ，５１ｂ、５１ｄ・・・５１ｈ・・・、および受光素子５１α，５１β，５１δ・・・５１κ・・・に受光される。その一例として、受光素子５１εに向かって散乱される光の経路の例を３つ示した。経路１と経路２は５１εに受光され、経路３は受光素子５１εと５１ηの間に形成される遮光壁に照射されるため５１εには受光されない。
【００３８】
つまり、ある角度以上の入射角を持って入射される散乱光は受光素子には受光されず、受光素子と遮光壁とで指向性を有する光センサを構成する。むろん遮光壁を設けずに受光素子自体が指向性を有する構成としても構わない。
【００３９】
むろん受光素子５１εに受光される光の経路だけでも他にも無数の経路があり、言うまでもないがその他の受光素子にもそれぞれに無数の経路がある。また、同図において、凹みは規則正しく並べて配置してあるが、むろん表示パネル３５の火発光部分に合わせて形成されてさえいれば不規則に配置されても構わない。
【００４０】
また、光センサ５０は、前面ガラスフィルタ５５の面において、レーザ光の入射される位置を二次元にて特定可能となるように配置されている。つまり、光センサ５０の受光素子５１が前面ガラスフィルタ５５の上下いずれか一方の側面（横面とする）と、左右いずれか一方の側面（縦面とする）と、に略等間隔に並べて配置される。そして、横面の受光素子のうち受光した光量の最も多い受光素子と、縦面の受光素子のうち受光した光量が最も多い受光素子とが、横面と縦面とでそれぞれレーザ光入射位置と最近接した受光素子とすることにより、レーザ光の入射位置を特定可能となる。
【００４１】
（３）ＯＳＤ表示にかかるマイコンの処理： 
次に、図８を参照して、光センサ５０がレーザ光の反射光を受光した時のマイコン２２の処理を説明する。同図は、当該処理をフローチャートにて示してある。本フローは、パネル型テレビジョン１００の電源がオンである間は繰り返し行われる。
【００４２】
処理を開始すると、ステップＳ１０にて、光センサ５０がレーザ光を受光しているか否かを判断する。光センサ５０は、受光素子５１のいずれかが光を受光すると、受光情報を生成する。マイコン２２は光センサからの電圧信号の入力を常時監視しており、電圧信号で表される情報を識別することにより光センサ５０が受光したことを検知する。光センサ５０が受光しているときは、条件成立としてステップＳ１２に進む。一方、光センサ５０が受光していないときは、条件不成立として当該フローを終了する。
【００４３】
また、当該ステップＳ１０にてレーザ光が照射されたか否かを検知する表示パネル２０の領域は、反射構造が形成されている領域となる。すなわち、第一の実施形態にかかる反射構造では、図９のように光センサ５０の受光素子５１が配置されている側面の側から所定幅の領域が反射構造５５の形成された領域となる。この所定幅の領域は、第一の実施形態にかかる反射構造の形成される領域と同一である。同図に示すように、当該領域以外の領域にレーザポインタが照射されても光センサ５０は受光せず、レーザポインタ照射位置を当該領域に移動させることで受光可能となる。
【００４４】
一方、第二の実施形態にかかる反射構造では、図１１のように受光素子５１が上記横面と上記縦面との全体に配置されているので、表示パネル２０の表示面全体がレーザ光が照射されたか否かを検知する領域となる。むろん受光素子５１の配置される領域を限定するとともに、受光素子５１の配置される領域に対応して表示パネル２０の表示面のうち所定の矩形領域に反射構造を形成することにより、所定の矩形領域のみをレーザ光が照射されたか否かを検知する領域とすることも可能である。
【００４５】
ステップＳ１２に進むと、マイコン２２は、メニュー画面の操作項目全てを表す情報をＲＯＭより取得してＯＳＤ生成部２４に出力して同ＯＳＤ生成部２４にＯＳＤ表示を行わせる為のＯＳＤ信号を生成させるとともにスケーラＩＣ１８に供給させ、スケーラＩＣ１８にて映像信号に当該生成したＯＳＤ信号を重畳させ、同スケーラＩＣ１８がＯＳＤ信号を重畳した映像信号を表示パネル２０に供給する。すると、表示パネル２０にＯＳＤ信号の重畳された映像信号が表示される。当該ステップにて表示パネル２０に表示される操作項目は、光センサ５０を構成する各受光素子５１の位置に対応させて表示される。
【００４６】
ステップＳ１２にて表示されるメニュー画面の操作項目は、第一の実施形態においては図１０のように反射構造の形成されている領域に合わせて、横方向に重複しないように縦方向に並べて表示される。すなわち、光センサが縦方向にしか配置されていないので、縦方向のレーザポインタ照射位置の移動は検知可能であるが、横方向のレーザポインタ照射位置の移動は検出できない為である。一方、第二の実施形態においては、図１１のように操作項目を縦横に並べて表示可能となる。すなわち、光センサ５０が縦横二種類のレーザポインタ照射位置を検出し、二次元でレーザポインタ照射位置を特定可能であるためである。むろん図１１のように立て横に規則正しく操作項目を並べる必要もなく、変則的な配置も可能である。
【００４７】
以上より、ステップＳ１０〜Ｓ１２の処理を実行するマイコン２２が、上記光センサが上記反射光を受光すると上記表示パネルに上記光センサの位置に対応させた所定の操作項目を画面に表示させるメニュー表示手段を構成する。
【００４８】
ステップＳ１４では、光センサ５０においてレーザ光を受光し続けていているか否かを判断する。すなわち、マイコン２２は光センサ５０からの電圧信号が入力され続けているか否かを判断する。電圧信号の入力が続いている時は条件成立としてステップＳ１４を繰り返す。一方、電圧信号の入力が連続していないときは条件不成立としてステップＳ１６に進む。電圧信号の入力の連続性の判断は、予め決められた所定時間ごとの入力が継続されているか否かでであっても、電圧が印加され続けているか否かであってもよい。
【００４９】
ステップＳ１４にて条件不成立となりステップＳ１６に進むと、レーザ光の受光が中断された時にレーザ光の指し示していた位置情報を受け付ける。すなわち、マイコン２２は、レーザ光の受光が途切れる直前に光センサ５０より受け付けた位置情報を受け付ける。
【００５０】
ステップＳ１８では、ステップＳ１６にて受け付けた位置情報に基づき、中断時にレーザ光の指し示していた操作項目を選択する操作入力を受け付ける。すなわち、レーザ光の受光が中断されたときにレーザ光の指し示していた位置に表示されていた操作項目の選択入力を受け付ける。
【００５１】
ステップＳ２０では、ステップＳ１８にて受け付けて実行した操作項目がサブメニューを持つか否かを判断する。サブメニューを持つ場合は条件成立としてステップＳ２４に進み、サブメニューの表示を行ってステップＳ２６に進む。一方、サブメニュー持たない場合は条件不成立としてステップＳ２２に進み、ステップＳ１８にて受け付けた操作項目に対応する設定処理を実行して当該フローを終了する。
【００５２】
ステップＳ２６では、上記ステップＳ１４にてレーザ光の受光が中断された後、レーザ光の受光を再び検知したか否かを判断する。レーザ光の受光を再び検知していたときは条件成立としてステップＳ１４からの処理を実行し、レーザ光の受光を再び検知していないときは条件不成立としてステップＳ２８に進む。
【００５３】
ステップＳ２８では、レーザ光の受光が中断された後、所定時間経過しているか否かを判断する。所定時間経過しているときは条件成立として当該処理を終了し、所定時間経過していないときは条件不成立としてステップＳ２６からの処理を実行する。  
【００５４】
以上より、ステップＳ１４〜Ｓ２８の処理を実行するマイコン２２が、上記反射光の受光が中断されると、中断時にレーザ光の指し示していた操作項目を選択する操作入力を受け付けるとともに、選択された上記操作項目に対応する設定処理を実行する操作項目受付手段を構成する。
【００５５】
次に、上記構成からなる本実施形態の動作を説明する。
パネル型テレビジョン１００の電源がオン状態であるとき、ユーザがレーザポインタにて表示画面の反射構造の形成された領域にレーザ光の照射を行うと、受光素子５１が同レーザ光の反射光（散乱光）を受光し、受光した光量に応じた出力を行う。すると受光情報出力部５２より受光情報および位置情報が電圧信号としてマイコン２２に出力され、マイコン２２が当該受光情報を受け付ける（ステップＳ１０）。
【００５６】
すると、マイコン２２は、ＲＯＭよりメニュー画面の操作項目全てを表す情報を取得してＯＳＤ生成部２４に出力し、同ＯＳＤ生成部２４にＯＳＤ表示を行わせる為のＯＳＤ信号を生成させるとともにスケーラＩＣ１８に供給させ、スケーラＩＣ１８にて映像信号に当該生成したＯＳＤ信号を重畳させ、同スケーラＩＣ１８がＯＳＤ信号を重畳した映像信号を表示パネル２０に供給する。すると、表示パネル２０の反射構造５５ａまたは５５ｂの形成された領域にメニュー画面が表示される（ステップＳ１２）。
【００５７】
そして、ユーザがレーザポインタをメニュー画面のいずれかの操作項目に合わせたのち、レーザポインタのボタンを離してレーザ光の照射を中断するか、もしくは反射構造の形成された領域からレーザ光照射位置をずらすかすることにより、光センサ５０から受光情報が出力されなくなると（ステップＳ１４）、マイコン２２は受光情報の出力が中断される直前の位置情報を受け付ける（ステップＳ１６）。
【００５８】
そして、マイコン２２は受け付けた位置情報の位置に表示されていた操作項目の選択入力を受け付け（ステップＳ１８）、受け付けた操作項目がサブメニューを持つ操作項目であるときは同サブメニューが反射構造の形成された領域に表示され（ステップＳ２０、Ｓ２４）、サブメニューを持たない操作項目であるときは同操作項目に対応する設定処理が実行されてメニューの表示が終了する（ステップＳ２０、Ｓ２２）。
【００５９】
一方、サブメニューが表示されて所定時間内に再びレーザポインタの照射を行うと、サブメニューの操作項目の選択入力が可能となり、ユーザはレーザポインタの照射と中断を行うことによりサブメニューの操作項目の選択入力を行う（ステップＳ２６、ステップＳ１４〜）。また、サブメニューが表示されて所定時間内に再びレーザポインタの照射を行わないと、所定時間経過後にサブメニューの表示が消える（ステップＳ２６、Ｓ２８）。
【００６０】
（４）まとめ： 
つまり、前面ガラスフィルタ５５の表面に対して略垂直に照射されるレーザ光を同表面に対して略平行に反射する反射構造５５ａまたは５５ｂと、前面ガラスフィルタ５５の側面に配置されて上記反射構造からの反射光を受光可能な光センサ５０と、を備え、光センサ５０が上記反射光を受光すると表示パネル２０に光センサ５０を構成する受光素子５１の位置に対応させた所定の操作項目を画面を表示させ、上記反射光の受光が中断されると、中断直前にレーザ光の指し示していた操作項目を選択する操作入力を受け付けるとともに、選択された上記操作項目に対応する設定処理を実行させる。
【００６１】
以上説明したように、本実施例に対応する請求項２に記載のパネル型映像表示装置では、映像表示面が光を透過可能なフィルタにて覆われた表示パネルを備え、所定の映像信号が入力されて同映像信号に対応する映像を上記表示パネルに表示するパネル型映像表示装置において、上記フィルタに形成され、同フィルタの表面に対して略垂直に照射されるレーザ光を同表面に対して略平行に反射する反射構造と上記フィルタの側面に配置されて上記反射構造からの反射光を受光可能な光センサと、上記光センサが上記反射光を受光すると上記表示パネルに上記光センサの位置に対応させた所定の操作項目を画面を表示させるメニュー表示手段と、上記反射光の受光が中断されると、中断直前にレーザ光の指し示していた操作項目を選択する操作入力を受け付けるとともに、選択された上記操作項目に対応する設定処理を実行する操作項目受付手段とを備える構成としてある。
上記のように構成した請求項２にかかる発明において、上記反射構造が上記フィルタの表面に対して略垂直に照射されるレーザ光を同表面に対して略平行に反射し、同反射構造からの反射光を上記光センサが受光し、上記光センサが上記反射光を受光すると上記メニュー表示手段が上記表示パネルに上記光センサの位置に対応させた所定の操作項目を画面を表示させ、上記反射光の受光が中断されると、上記操作項目受付手段が中断直前にレーザ光の指し示していた操作項目を選択する操作入力を受け付け、選択された上記操作項目に対応する設定処理を実行する。
上記のように構成した請求項２に記載の発明においては、市販のレーザポインタなどのレーザ照射装置を使用してメニュー操作することが可能なため、セット専用のリモコンを含めた外部リモコンを必要とせず、汎用的なレーザポインタなどにて操作可能であるとともに、コストアップを避けることの可能なパネル型映像表示装置を提供することができる。
【００６２】
そして、請求項３にかかる発明では、上記請求項２に記載のパネル型映像表示装置において、上記反射構造は、上記フィルタの上記表示パネルと面する側に形成されるとともに、上記フィルタのいずれか一方の側方に近づくほど上記表示パネルに近づく階段の各段の間に斜面として形成され、上記フィルタに対して略垂直に入射される光を上記フィルタに対して略平行に反射する構成としてある。
【００６３】
さらに、請求項４にかかる発明では、上記請求項３に記載のパネル型映像表示装置において、上記斜面は、上記フィルタの面に対して４５度の角度を持って形成される構成としてある。
さらに、請求項５にかかる発明は、上記請求項３に記載のパネル型映像表示装置において、上記斜面は、上記フィルタの面に対して４０度の角度を持って形成される構成としてある。
さらに、請求項６にかかる発明は、上記請求項３に記載のパネル型映像表示装置において、上記斜面は、上記フィルタの面に対して５０度の角度を持って形成される構成としてある。
上記のように構成した請求項３〜６に記載の発明においては、フィルタに段を形成し、各段の間に形成される斜面にて光を反射可能な反射構造にて光を反射させるため簡易な構造で反射構造を実現することが可能なパネル型映像表示装置を提供することができる。
【００６４】
さらに、請求項７にかかる発明は、上記請求項３に記載のパネル型映像表示装置において、上記反射構造は、上記レーザ光の照射断面内に位置する複数の斜面が、上記フィルタの面に対して複数の角度にて形成された斜面にて構成される構成としてある。
上記のように構成した請求項７に記載の発明によれば、フィルタに段を形成し、格段の間に形成される斜面にて光を反射可能な反射構造にて光を反射させるとともに、斜面の角度を複数とすることにより正面で視聴しているユーザだけでなく、斜め方向から視聴しているユーザもメニュー操作が可能なパネル型映像表示装置を提供可能となる。
【００６５】
さらに、請求項８にかかる発明は、上記請求項２に記載のパネル型映像表示装置において、上記反射構造は、上記フィルタの表示パネルに面する側に凹みとして形成され、上記レーザ光を散乱可能である構成としてある。
上記のように構成した請求項８に記載の発明によれば、フィルタに形成される凹みにて光を反射させるため、簡易な構造で反射構造を実現することが可能なパネル型映像表示装置を提供することが可能となる。
【００６６】
さらに、請求項９にかかる発明は、上記請求項２〜８のいずれかに記載のパネル型映像表示装置において、上記光センサは、上記フィルタのいずれか一方の側面に沿って配置される構成としてある。
上記のように構成した請求項９にかかる発明によれば、一方の側面にのみ光センサを配置すればよいため、コストダウンが可能となり、さらに安価なパネル型映像表示装置を提供可能となる
【００６７】
さらに、請求項１０にかかる発明は、上記請求項２または請求項８に記載のパネル型映像表示装置において、上記光センサは、上記フィルタの表面において、上記レーザ光の入射される位置を二次元にて特定可能に配置される構成としてある。
上記のように構成した請求項１０にかかる発明によれば、表示パネルの全面でレーザ照射位置を特定可能となるため、表示パネルの全面にメニュー画面を表示でき、多くの操作項目を同時に表示して選択可能とするパネル型映像表示装置を提供することが可能となる。
【００６８】
さらに、請求項１１にかかる発明は、上記請求項２〜１０のいずれかに記載のパネル型映像表示装置において、上記反射構造は、上記表示パネルの非発光部分に合わせて形成される構成としてある。
上記のように構成した請求項１１にかかる発明によれば、反射構造は表示パネルの非発光部分に合わせて形成されるため、表示パネルに表示される映像の光がフィルタを通過する際にゆがむ事無く、ユーザの快適な視聴を妨げることが無いパネル型映像表示装置を提供することが可能となる。
【００６９】
さらに、請求項１２にかかる発明は、上記請求項２〜１１のいずれかに記載のパネル型映像表示装置において、上記光センサは、上記フィルタの表面に略平行、かつ、上記フィルタの側面に略垂直な方向より入射される光に指向性を有する構成としてある。
上記のように構成した請求項１２にかかる発明によれば、光センサに指向性を持たせることにより、レーザ照射位置の特定をより正確に行うことの可能なパネル型映像表示装置を提供することが可能となる。
【００７０】
以上の構成を踏まえた上で、請求項１の発明は映像を画面に表示する平坦な表示面を前面に向けた表示パネルと、テレビ放送を受信し中間周波信号としての映像信号を出力するチューナと、入力された映像信号をデジタル信号に変換して出力するＡ／Ｄ変換部と、インタ−レ−ス形式の映像信号をプログレッシブ形式に変換し、映像信号のスケーリング処理を行うとともに上記表示パネルに表示する１画面分の画像データを生成して出力するスケーラＩＣと、文字情報等のデ−タを入力され、同文字情報等のデ−タに基づいてオンスクリーンディスプレイ信号を生成してスケーラＩＣに出力して上記映像信号に重畳させるＯＳＤ生成部と、上記ＯＳＤ生成部に文字情報等のデータを出力すると共に、上記表示パネルと上記チューナと上記Ａ／Ｄ変換部と上記スケーラＩＣと上記ＯＳＤ生成部とを制御するマイコンとを備えるパネル型テレビジョンにおいて、上記表示パネルの前面に近接して配置され、上記表示パネルの表示面に表示される映像の光を前方に透過可能であるとともに、前方から入射されるレーザ光を側方に反射する反射構造を備える前面ガラスフィルタと、上記前面ガラスフィルタ内を同前面ガラスフィルタの面と略平行に透過する光を受光して受光量に応じた出力を行う複数の受光素子と、同受光素子の出力に基づいて上記受光素子のいずれか１つ以上の受光素子が受光しているか否かを表す受光情報および側面に沿って並べられた受光素子のうち出力の最も高い受光素子の位置情報を出力可能な受光情報出力部と、から構成され、上記前面ガラスフィルタのレーザ光が反射されてくる側面に略接触して配置される光センサとを備え、上記反射構造は、上記表示パネルの表示面に面する側に形成されるとともに、上記前面ガラスフィルタの上下左右いずれか一方の側方に近づくほど上記表示パネルに近づく階段の各段の間に斜面として形成され、上記前面ガラスフィルタに対して略垂直に入射されるレーザ光を上記前面ガラスフィルタに対して略平行に反射し、上記マイコンは、上記光センサより受光情報を受け付けると上記表示パネルの上記反射構造の形成される領域に上記受光素子の位置に対応させた所定の操作項目より構成されるメニュー画面を表示させ、上記光センサからの受光情報の出力が中断されると、中断の直前の位置情報を受け付けると共に、同位置情報に対応する操作項目を選択する操作入力を受け付け、同操作項目に対応する設定処理を実行する構成としてある。
【００７１】
上記のように構成した請求項１にかかる発明においては、上記前面ガラスフィルタの上記反射構造が形成された領域に対して略垂直に入射されたレーザ光は、上記反射構造にて上記光センサの配置された側面の方向に反射され、上記光センサを構成する受光素子が反射されたレーザ光を受光して受光量に応じた出力を行い、上記受光情報出力部が受光情報および位置情報を出力し、上記マイコンが上記受光情報および上記位置情報を受け付ける。
【００７２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００７３】
【図１】液晶テレビジョンの概略構造である。
【図２】液晶テレビジョンの概略ブロック図である。
【図３】第一の実施形態にかかる反射構造の斜視図である。
【図４】第一の実施形態にかかる反射構造の断面図である。
【図５】第二の実施形態にかかる反射構造の断面図である。
【図６】第二の実施形態にかかる反射構造の平面図である。
【図７】本実施形態にかかるマイコンの処理を示すフローチャートである。
【図８】第一の実施形態にかかる表示パネルの平面図である。
【図９】第一の実施形態にかかる表示パネルの平面図である。
【図１０】第二の実施形態にかかる表示パネルの平面図である。
【符号の説明】
【００７４】
１０…チューナ
１０ａ…アンテナ
１２…外部入力
１４…スイッチ回路
１６…Ａ／Ｄ変換部
１８…スケーラＩＣ
２０…表示パネル
２２…マイコン
２４…ＯＳＤ生成部
３０…リアキャビネット
３１…開口
３５…フロントキャビネット
４０…基板
５０…光センサ
５１…受光素子
５２…受光情報出力部
５５…前面ガラスフィルタ
５５ａ…反射構造（斜面）
５５ｂ…反射構造（凹み）
５１ａ〜５１ｈ，５１α〜５１κ…受光素子
６０…レーザポインタ
１００…パネル型テレビジョン（パネル型映像表示装置）
【図１】
2007226709.tif 000003
【図２】
2007226709.tif 000004
【図３】
2007226709.tif 000005
【図４】
2007226709.tif 000006
【図５】
2007226709.tif 000007
【図６】
2007226709.tif 000008
【図７】
2007226709.tif 000009
【図８】
2007226709.tif 000010
【図９】
2007226709.tif 000011
【図１０】
2007226709.tif 000012